(57)【要約】【課題】操作手段の操作が機器に受け付けられていることがユーザーに容易に認識でき、不安を感じることなく操作することができる洗濯機を実現する。【解決手段】ユーザーが洗濯機に設けられた洗い、すすぎ、脱水等の運転の設定を行う操作手段１と、操作手段１の操作の有無等の操作状態を検出する操作検出手段２と、操作手段１で設定された運転の設定状態を表示する設定表示手段３と、操作検出手段２により検出された操作の状態に応じて表示する操作検出表示手段５と、操作検出手段２と設定表示手段３と操作検出表示手段５を制御する制御手段４とを備え、制御手段４は、操作検出手段２によって操作が検出されている間は、操作検出表示手段５を表示することで、ユーザーは操作が受け付けられていることを視覚的に認識することができる。【選択図】図１
2017086128.tif 000002
【特許請求の範囲】
【請求項１】
洗い、すすぎ、脱水等の運転の設定を行う操作手段と、前記操作手段の操作の有無等の操作状態を検出する操作検出手段と、前記操作手段で設定された運転の設定状態を表示する設定表示手段と、前記操作検出手段により検出された操作の状態に応じて表示する操作検出表示手段と、前記操作検出手段と前記設定表示手段と前記操作検出表示手段を制御する制御手段とを備え、前記制御手段は、前記操作検出手段によって操作が検出されている間は、前記操作検出表示手段を表示することを特徴とした洗濯機。
【請求項２】
洗い、すすぎ、脱水等の運転の設定を行う操作手段と、前記操作手段の操作の有無等の操作状態を検出する操作検出手段と、前記操作手段で設定された運転の設定状態を表示する設定表示手段と、前記操作検出手段により検出された操作の状態に応じて前記操作手段を振動させる振動手段と、前記操作検出手段と前記設定表示手段と前記振動手段を制御する制御手段とを備え、前記制御手段は、前記操作検出手段によって操作が検出されている間は、前記振動手段によって前記操作手段を振動させることを特徴とした洗濯機。
【請求項３】
洗い、すすぎ、脱水等の運転の設定を行う操作手段と、前記操作手段の操作の有無等の操作状態を検出する操作検出手段と、前記操作手段で設定された運転の設定状態を表示する設定表示手段と、前記操作検出手段により検出された操作の状態に応じてユーザーに報知を行う報知手段と、前記操作検出手段と前記設定表示手段と前記報知手段を制御する制御手段とを備え、前記制御手段は、前記操作検出手段によって操作が検出されている間は、前記報知手段によって報知することを特徴とした洗濯機。
【発明の詳細な説明】
【技術分野】
【０００１】
本発明は、ユーザーの操作性を向上させる洗濯機に関するものである。
【背景技術】
【０００２】
従来、この種の洗濯機は、洗い、すすぎ、脱水運転の一つもしくは複数の設定を行うための操作手段１を備えている。近年、この種の操作手段１には機械式のスイッチ（例えばタクトスイッチ）に比べ凹凸がなく、小さい操作力で操作が可能なタッチパネルが用いられることが多くなっている（例えば、特許文献１参照）。
【０００３】
図５は、特許文献１に記載された従来の洗濯機の操作部関係の構成を示すブロック図である。図５に示すように、洗い、すすぎ、脱水運転の設定を行うための操作手段１と、操作手段１の操作の有無を検出する操作検出手段２と、操作手段１で設定された運転の設定状態を表示する設定表示手段３と、操作検出手段２と設定表示手段３とを制御する制御手段４とを備えている。
【先行技術文献】
【特許文献】
【０００４】
【特許文献１】特開２０１４−１８０４０７号公報
【発明の概要】
【発明が解決しようとする課題】
【０００５】
しかしながら、前記従来の構成では、操作手段１がタッチパネル等のユーザーが操作手段１を指で触れたことを検出するものであるため、ユーザーの操作が機器に受け付けられたことがユーザー自身には容易に認識できないという課題を有していた。特に、チャイルドロックのように操作手段１をある一定時間、ユーザーが触れ続けることで機器が操作を受け付けるような場合、ユーザーは、一定時間経過するまでの間は機器が操作を受け付けてくれているか否かがわからず、不安を感じてしまうと言う課題も有していた。
【０００６】
本発明は、前記従来の課題を解決するもので、ユーザーの操作が機器に受け付けられていることがユーザー自身に容易に認識できる洗濯機を提供することを目的とする。
【課題を解決するための手段】
【０００７】
前記従来の課題を解決するために、本発明の洗濯機は、洗い、すすぎ、脱水等の運転の設定を行う操作手段と、前記操作手段の操作の有無等の操作状態を検出する操作検出手段と、前記操作手段で設定された運転の設定状態を表示する設定表示手段と、前記操作検出手段により検出された操作の状態に応じて表示する操作検出表示手段と、前記操作検出手段と前記設定表示手段と前記操作検出表示手段を制御する制御手段とを備え、前記制御手段は、前記操作検出手段によって操作が検出されている間は、前記操作検出表示手段を表示することを特徴としたものである。
【０００８】
また、本発明の洗濯機は、洗い、すすぎ、脱水等の運転の設定を行う操作手段と、前記操作手段の操作の有無等の操作状態を検出する操作検出手段と、前記操作手段で設定された運転の設定状態を表示する設定表示手段と、前記操作検出手段により検出された操作の状態に応じて前記操作手段を振動させる振動手段と、前記操作検出手段と前記設定表示手段と前記振動手段を制御する制御手段とを備え、前記制御手段は、前記操作検出手段によって操作が検出されている間は、前記振動手段によって前記操作手段を振動させることを特徴としたものである。
【０００９】
さらに、本発明の洗濯機は、洗い、すすぎ、脱水等の運転の設定を行う操作手段と、前記操作手段の操作の有無等の操作状態を検出する操作検出手段と、前記操作手段で設定された運転の設定状態を表示する設定表示手段と、前記操作検出手段により検出された操作の状態に応じてユーザーに報知を行う報知手段と、前記操作検出手段と前記設定表示手段と前記報知手段を制御する制御手段とを備え、前記制御手段は、前記操作検出手段によって操作が検出されている間は、前記報知手段によって報知することを特徴としたものである。
【００１０】
これらによって、ユーザーは操作が受け付けられていることを容易に認識することができる。
【発明の効果】
【００１１】
本発明の洗濯機は、ユーザーは操作が受け付けられていることを容易に認識することができる。
【図面の簡単な説明】
【００１２】
【図１】本発明の実施の形態１における洗濯機の操作部関係の構成を示すブロック図
【図２】本発明の実施の形態１における洗濯機の操作部の平面図
【図３】本発明の実施の形態２における洗濯機の操作部関係の構成を示すブロック図
【図４】本発明の実施の形態３における洗濯機の操作部関係の構成を示すブロック図
【図５】従来の洗濯機の操作部関係の構成を示すブロック図
【発明を実施するための形態】
【００１３】
第１の発明は、洗い、すすぎ、脱水等の運転の設定を行う操作手段と、前記操作手段の操作の有無等の操作状態を検出する操作検出手段と、前記操作手段で設定された運転の設定状態を表示する設定表示手段と、前記操作検出手段により検出された操作の状態に応じて表示する操作検出表示手段と、前記操作検出手段と前記設定表示手段と前記操作検出表示手段を制御する制御手段とを備え、前記制御手段は、前記操作検出手段によって操作が検出されている間は、前記操作検出表示手段を表示することで、ユーザーは操作が受け付けられていることを容易に認識することができ、不安を感じることなく操作することができる。
【００１４】
第２の発明は、洗い、すすぎ、脱水等の運転の設定を行う操作手段と、前記操作手段の操作の有無等の操作状態を検出する操作検出手段と、前記操作手段で設定された運転の設定状態を表示する設定表示手段と、前記操作検出手段により検出された操作の状態に応じて前記操作手段を振動させる振動手段と、前記操作検出手段と前記設定表示手段と前記振動手段を制御する制御手段とを備え、前記制御手段は、前記操作検出手段によって操作が検出されている間は、前記振動手段によって前記操作手段を振動させることにより、ユーザーは操作が受け付けられていることを容易に認識することができ、不安を感じることなく操作することができる。
【００１５】
第３の発明は、洗い、すすぎ、脱水等の運転の設定を行う操作手段と、前記操作手段の操作の有無等の操作状態を検出する操作検出手段と、前記操作手段で設定された運転の設定状態を表示する設定表示手段と、前記操作検出手段により検出された操作の状態に応じてユーザーに報知を行う報知手段と、前記操作検出手段と前記設定表示手段と前記報知手段を制御する制御手段とを備え、前記制御手段は、前記操作検出手段によって操作が検出されている間は、前記報知手段によって報知することによって、ユーザーは操作が受け付けられていることを容易に認識することができ、不安を感じることなく操作することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における洗濯機の操作部関係の構成を示すブロック図である。図２は、本発明の第１の実施の形態における洗濯機の操作部の平面図である。
【００１８】
本実施の形態における洗濯機は、図１および図２に示すように、ユーザーが洗濯機（図示せず）に設けられた洗い、すすぎ、脱水等の運転の設定を行う操作手段１と、操作手段１の操作の有無等の操作状態を検出する操作検出手段２と、操作手段１で設定された運転の設定状態を表示する設定表示手段３と、操作検出手段２によって検出された操作の状態に応じて表示する操作検出表示手段５と、操作検出手段２と設定表示手段３と操作検出表示手段５を制御する制御手段４とを備えている。
【００１９】
以上のように構成された洗濯機について、以下その動作、作用を説明する。
【００２０】
まず、ユーザーは洗い、すすぎ、脱水運転の一つ、もしくは複数の設定を行うために操作手段１を操作する。次に、ユーザーによる操作手段１の操作の有無、操作の内容等の操作状態を操作検出手段２で検出する。次に、操作検出手段２で検出された内容に応じて、洗い、すすぎ、脱水運転の設定状態を設定表示手段３に表示を行う。
【００２１】
例えば、図２に示す例では、選択された洗濯コースは「わたし流」で、洗いの時間は５分、すすぎ回数は２回、脱水時間は３分。また、操作手段１の操作が操作検出手段２で検出されている間は操作検出表示手段５に表示を行う。例えば、図２に示す例では、「受付」と表示する。制御手段４は、上記の動作が行われるように、操作検出手段２と設定表示手段３と操作検出表示手段５をそれぞれ制御する。
【００２２】
近年、この種の操作手段１には、表面に凹凸がなく、小さい操作力でも操作可能なタッチパネルが用いられることが多くなっている。しかしながら、一方で、機械式のスイッチ（タクトスイッチなど）の場合は、ユーザーが操作した際にクリック感があり、ユーザー自身が操作していることを容易に認識することができる。これに対し、タッチパネルの場合は、クリック感がないため、ユーザー自身の操作が機器に受け付けられているか否かが容易に認識することができない。
【００２３】
また、チャイルドロックの設定／解除のように、ユーザーによる不用意な操作が機器に受け付けられないように、操作手段１をある一定時間、触れ続けることで操作を受け付けるような操作仕様が一般的に知られている。このような操作仕様の場合、ユーザーは、操作手段１を触れ続けて、一定時間経過した時点で機器が操作を受け付けることになる。よって、ユーザーは、操作手段１を一定時間触れ続けている間はユーザー自身の操作が機器に受け付けられているか否かがわからず不安を感じる。
【００２４】
そこで、本実施の形態の洗濯機によれば、操作手段１の操作の有無等の操作状態を操作検出手段２で検出し、操作検出手段２で検出されている間は操作検出表示手段５に表示を行う公正としている。これにより、ユーザーは機器に操作が受け付けられていることを容易に認識することができる。
【００２５】
なお、操作検出表示手段５における表示の方式は、図２では「受付」という文字を表示させているが、これに限定されるものではなく、各種図形や絵文字のようなものであってもよい。また、操作検出手段２で検出している間、表示し続けてもよいし、点滅であって
もよい。
【００２６】
（実施の形態２）
図３は、本発明の第２の実施の形態における洗濯機の操作部関係の構成を示すブロック図である。
【００２７】
本実施の形態における洗濯機は、図３に示すように、ユーザーが洗濯機（図示せず）に設けられた洗い、すすぎ、脱水等の運転の設定を行う操作手段１と、操作手段１の操作の有無等の操作状態を検出する操作検出手段２と、操作手段１で設定された運転の設定状態を表示する設定表示手段３と、操作手段１を振動させる振動手段６と、操作検出手段２と設定表示手段３と振動手段６を制御する制御手段４とを備えている。
【００２８】
以上のように構成された洗濯機について、以下その動作、作用を説明する。
【００２９】
ユーザーは、洗い、すすぎ、脱水運転の一つ、もしくは複数の設定を行うために操作手段１を操作する。次に、ユーザーによる操作手段１の操作の有無、操作の内容等の操作状態を操作検出手段２により検出する。次に、操作検出手段２で検出された内容に応じて、洗い、すすぎ、脱水運転の設定状態を設定表示手段３に表示を行う。また、操作手段１の操作が操作検出手段２により操作が検出されている間は振動手段６によって操作手段１を振動させる。制御手段４は、上記の動作が行われるように、操作検出手段２と設定表示手段３と振動手段６をそれぞれ制御する。
【００３０】
操作手段１の操作の有無等の操作状態を操作検出手段２で検出し、操作検出手段２により操作が検出されている間は振動手段６によって操作手段１を振動させるため、ユーザーは、機器に操作が受け付けられていることを容易に認識することができる。
【００３１】
なお、振動手段６による振動の方式は、操作検出手段２で検出している間、連続する振動であることが望ましいが、短サイクルであれば、間欠的な振動でもよい。
【００３２】
また、振動手段６は、操作検出手段２により検出された操作の状態に応じて振動のパターンを変えてもよい。このようにすれば、ユーザーは、より詳細に操作受け付け内容を認識しつつ運転の設定を行うことができる。
【００３３】
また、実施の形態１の視覚的表示手段と組み合わせれば、ユーザーは、より確実に操作受け付けを認識することができる。
【００３４】
（実施の形態３）
図４は、本発明の第３の実施の形態における洗濯機の操作部関係の構成を示すブロック図である。
【００３５】
本実施の形態における洗濯機は、図４に示すように、ユーザーが洗濯機（図示せず）に設けられた洗い、すすぎ、脱水等の運転の設定を行う操作手段１と、操作手段１の操作の有無等の操作状態を検出する操作検出手段２と、操作手段１で設定された運転の設定状態を表示する設定表示手段３と、操作検出手段２により検出された操作の状態に応じてユーザーに報知を行う報知手段７と、操作検出手段２と設定表示手段３と報知手段７を制御する制御手段４とを備えている。
【００３６】
以上のように構成された洗濯機について、以下その動作、作用を説明する。
【００３７】
まず、ユーザーは、洗い、すすぎ、脱水運転の一つ、もしくは複数の設定を行うために
操作手段１を操作する。次に、ユーザーによる操作手段１の操作の有無、操作の内容等の操作状態を操作検出手段２により検出する。次に、操作検出手段２により検出された内容に応じて、洗い、すすぎ、脱水運転の設定状態を設定表示手段３に表示を行う。操作手段１の操作が操作検出手段２により検出されている間は報知手段７によって報知する。制御手段４は、上記の動作が行われるように、操作検出手段２と設定表示手段３と報知手段７をそれぞれ制御する。
【００３８】
操作手段１の操作の有無等の操作状態を操作検出手段２で検出し、操作検出手段２により操作が検出されている間は報知手段７によって報知するため、ユーザーは、機器に操作が受け付けられていることを容易に認識することができる。
【００３９】
なお、報知手段７としては、ブザー音、メロディー等が適用可能である。
【００４０】
また、報知手段７は、操作検出手段２により検出された操作の状態に応じてブザー音の吹鳴パターンやメロディー内容を変えてもよい。このようにすれば、ユーザーは、より詳細に操作受け付け内容を認識しつつ運転の設定を行うことができる。
【００４１】
また、実施の形態１の視覚的表示手段や実施の形態２の触覚的手段と組み合わせれば、ユーザーは、より確実に操作受け付けを認識することができる。
【産業上の利用可能性】
【００４２】
以上のように、本発明にかかる洗濯機は、タッチパネル等のユーザーが指で触れたことを検出する方式の操作手段を有し、操作検出手段で操作の有無を検出し、操作手段の操作が操作検出手段で検出されている間、操作検出手段の検出状態を視覚的、触覚的あるいは聴覚的にユーザーに知らしめることで、ユーザーは操作が受け付けられていることを認識することができるので、ドラム式洗濯機等として有用である。
【符号の説明】
【００４３】
１  操作手段
２  操作検出手段
３  設定表示手段
４  制御手段
５  操作検出表示手段
６  振動手段
７  報知手段
【図１】
2017086128.tif 000003
【図２】
2017086128.tif 000004
【図３】
2017086128.tif 000005
【図４】
2017086128.tif 000006
【図５】
2017086128.tif 000007